【手続補正書】
【提出日】平成27年8月28日(2015.8.28)
【手続補正１】
【補正対象書類名】特許請求の範囲
【補正対象項目名】全文
【補正方法】変更
【補正の内容】
【特許請求の範囲】
【請求項１】
電圧制御発振器であって、
第１の直流（ＤＣ）電圧を受け取る第１のノードと、
第２のＤＣ電圧を受け取る第２のノードと、
第３のノードと、
発振信号を提供するための第４のノードと、
前記第２のノードおよび前記第３のノードの間に直列に結合される第１の誘導素子と、
前記第１のノードおよび前記第４のノードの間に接続される第１の可変静電容量素子と、
前記第１のノードおよび前記第３のノードの間に接続される第２の可変静電容量素子と、
前記第３のノードおよび前記第４のノードの間に直列に結合され、前記第３のノードおよび前記第４のノードの間に前記第２の可変静電容量素子に流れるか、または前記第２の可変静電容量素子から流れる電流が前記第１の可変静電容量素子に流れるか、または前記第１の可変静電容量素子から流れる電流よりも小さくなるような、前記発振信号の振動周波数におけるインダクタンスを提供する、第２の誘導素子とを備える、電圧制御発振器。
【請求項２】
前記第２の誘導素子は、前記発振信号の波長に対して無視できない長さを有する導体素子を含む、請求項１に記載の電圧制御発振器。
【請求項３】
前記導体素子の前記長さは前記波長の百分の一よりも大きい、請求項２に記載の電圧制御発振器。
【請求項４】
前記第２の誘導素子は、前記発振信号の波長の百分の一よりも大きい長さを有する伝送線路素子を含む、請求項１に記載の電圧制御発振器。
【請求項５】
前記伝送線路素子はマイクロストリップ線路を含む、請求項４に記載の電圧制御発振器。
【請求項６】
前記第２の誘導素子は、前記インダクタンスを有するインダクタを含み、
前記インダクタンスは前記振動周波数において無視できない、請求項１に記載の電圧制御発振器。
【請求項７】
前記インダクタンスは、前記第４のノードおよび前記第３のノードの間にＡＣ電圧差を提供するように構成される、請求項１に記載の電圧制御発振器。
【請求項８】
前記ＡＣ電圧差は前記発振信号の振幅の５パーセントよりも大きい、請求項７に記載の電圧制御発振器。
【請求項９】
前記第４のノードに結合される発振器構成をさらに備え、該発振器構成は、前記発振信号の生成を促進する、請求項１に記載の電圧制御発振器。
【請求項１０】
第５のノードと、
前記発振器構成に結合される第６のノードであって、前記発振器構成は該第６のノードにおいて第２の発振信号の生成を促進し、該第２の発振信号は前記第４のノードにおける前記発振信号に対して相補的である、第６のノードと、
前記第１のノードおよび前記第６のノードの間に結合される第３の可変静電容量素子と、
前記第１のノードおよび前記第５のノードの間に結合される第４の可変静電容量素子と、
前記第２のノードおよび前記第５のノードの間に結合される第３の誘導素子と、
前記第５のノードおよび前記第６のノードの間に結合され、該第５のノードおよび該第６のノードの間に第２のインダクタンスを提供する、第４の誘導素子とをさらに備える、請求項９に記載の電圧制御発振器。
【請求項１１】
第７のノードであって、前記第２の誘導素子は前記第４のノードおよび前記第７のノードの間に直列に結合される、第７のノードと、
前記第１のノードおよび前記第７のノードの間に直列に結合される第５の可変静電容量素子と、
前記第７のノードおよび前記第３のノードの間に直列に結合される第５の誘導素子と、
第８のノードであって、前記第４の誘導素子は前記第６のノードおよび前記第８のノードの間に直列に結合される、第８のノードと、
前記第１のノードおよび前記第８のノードの間に直列に結合される第６の可変静電容量素子と、
前記第８のノードおよび前記第５のノードの間に直列に結合される第６の誘導素子と
をさらに備える、請求項１０に記載の電圧制御発振器。
【請求項１２】
前記発振器構成は、
前記第４のノードに結合されるドレイン端子、および前記第６のノードに結合されるゲート端子を有する第１のトランジスタと、
前記第６のノードに結合されるドレイン端子、および前記第４のノードに結合されるゲート端子を有する第２のトランジスタとを備える、請求項１０に記載の電圧制御発振器。
【請求項１３】
前記第１の可変静電容量素子は、そのカソード端子が前記第１のノードに接続されるとともにそのアノード端子が前記第４のノードに接続される第１のバラクタを含み、
前記第２の可変静電容量素子は、そのカソード端子が前記第１のノードに接続されるとともにそのアノード端子が前記第３のノードに接続される第２のバラクタを含む、請求項１に記載の電圧制御発振器。
【請求項１４】
前記インダクタンスは前記第１のバラクタの前記アノード端子と前記第２のバラクタの前記アノード端子との間にＡＣ電圧差を提供する、請求項１３に記載の電圧制御発振器。
【請求項１５】
前記第１のＤＣ電圧は第１のＤＣ同調電圧であり、
前記第２のＤＣ電圧は第２のＤＣ同調電圧であり、
前記第１の可変静電容量素子の第１のキャパシタンスは前記第１のノードと前記第４のノードとの間の第１の電圧差に基づき、
前記第２の可変静電容量素子の第２のキャパシタンスは前記第１のノードと前記第３のノードとの間の第２の電圧差に基づく、請求項１に記載の電圧制御発振器。
【請求項１６】
前記第１の可変静電容量素子および前記第２の可変静電容量素子は前記第３のノードと前記第４のノードとの間に分散される、請求項１に記載の電圧制御発振器。
【請求項１７】
電圧制御発振器であって、
第１のＤＣ制御電圧を受け取る第１のノードと、
第２のＤＣ制御電圧を受け取る第２のノードと、
第３のノードと、
発振信号を提供するための出力ノードと、
前記第２のノードおよび前記第３のノードの間に直列に結合される誘導素子と、
前記第３のノードおよび前記出力ノードの間に分散される複数の可変静電容量素子と
を備え、
前記複数のうちの各可変静電容量素子は前記第１のノードに結合される第１の端子を有し、
一対の前記可変静電容量素子のアノード端子の間に交流（ＡＣ）電圧差分を提供する、前記発振信号の発振周波数におけるインダクタンスが前記アノード端子の間に直列に設けられている、電圧制御発振器。
【請求項１８】
発振信号を生成する電圧制御発振器モジュールであって、該電圧制御発振器モジュールは、
出力ノードにおいて前記発振信号を促進する能動回路構成と、
前記出力ノードに結合される共振器構成と
を備え、該共振器構成は、
前記出力ノードおよび第１のＤＣ同調電圧に対応する第１のノードの間に直列に結合される第１の可変静電容量素子と、
前記第１のノードおよび第２のノードの間に直列に結合される第２の可変静電容量素子と、
前記出力ノードおよび前記第２のノードの間に結合され、前記出力ノードおよび前記第２のノードの間に前記発振信号の発振周波数におけるインダクタンスを提供する第１の誘導素子と、
前記第２のノード、および第２のＤＣ同調電圧に対応する第３のノードの間に結合される第２の誘導素子と
第２の出力ノードおよび前記第１のノードの間に直列に結合される第３の可変静電容量素子と、
前記第１のノードおよび第４のノードの間に直列に結合される第４の可変静電容量素子と、
前記第２の出力ノードおよび前記第４のノードの間に結合され、前記第２の出力ノードおよび前記第４のノードの間に前記発振周波数における第２のインダクタンスを提供する第３の誘導素子と、
前記第２のノードおよび前記第３のノードの間に直列に結合される第４の誘導素子と
を備える、電圧制御発振器モジュール。